【事件の表示】
　特願２００２−１７３２３９「コイルボビン及び導電性１ターンリング並びにスピーカ装置」拒絶査定不服審判事件〔平成１６年　１月２２日出願公開、特開２００４−　２３２９７〕について、次のとおり審決する。
【結　論】
　本件審判の請求は、成り立たない。
【理　由】
１．本願および本願発明
　本願は、平成１４年６月１３日の出願であって、その特許請求の範囲に係る発明は、平成１８年９月１１日付け及び平成１８年１２月５日付け手続補正書により補正された特許請求の範囲の請求項１ないし１０までの各請求項に係る発明であるところ、これら発明のうち、請求項９に係る発明（以下「本願発明」という。）は、当該請求項９の次の記載事項により特定されるものである。
「【請求項９】ドーム状振動板とエッジ状振動板を連結する連結平坦部とが一体に形成された振動板と、
　上記振動板を駆動する磁気空隙内に配設されたコイルボビン或は導電性１ターンリングと、
　上記コイルボビン或は上記導電性１ターンリングの一端に形成されたリング部材とを具備し、
　上記振動板の上記連結平坦部の平面部底面に上記リング部材の少なくとも上面を接合させたことを特徴とするスピーカ装置。」
　
２．引用例
　これに対して、原査定の拒絶理由に引用された特開２０００−１５６８９６号公報（平成１２年６月６日公開、以下「引用例」という。）には、スピーカ装置に関する発明が記載され、同発明のスピーカ装置は、引用例の【特許請求の範囲】の欄の記載によれば、例えばその請求項１〜請求項３の次の記載事項により特定されるものである。
「【請求項１】中央部に位置し断面形状で略円弧状を為すドーム部と、該ドーム部の外周側に位置するエッジ部と、ドーム部とエッジ部を連結する連結部とが一体に形成された振動板と、
磁気ギャップ内に配置される導電性部材が巻回されたボビンとを備え、
振動板の連結部にはボビンが延びる方向を向く平面部が形成され、
該平面部にボビンの一端部を接着したことを特徴とするスピーカー装置。
【請求項２】上記平面部の全面に接着剤を塗布したことを特徴とする請求項１に記載のスピーカー装置。
【請求項３】ボビンの一端部を直角に折り曲げて折曲部を形成し、
該折曲部を平面部に接着したことを特徴とする請求項１に記載のスピーカー装置。」
  上記スピーカー装置の詳細は、引用例の段落【００２２】〜【００３７】において、引用例記載の発明の第１の実施の形態として、図１〜図３を参照して説明されているところであるが、特にその具体的構成や作用効果について、引用例には次の記載がなされている。
「【００２６】振動板４は、金属材料、例えばアルミニウムやチタニウム等のシート状の材料、或は、高分子材料から成るシート状の材料をプレス加工等することにより一体成形され、中央部に位置する略半球状のドーム部１１と該ドーム部１１の外周に連続した連結部１２と該連結部１２の外周に連続した断面形状で小さな略円弧状を為すエッジ部１３と該エッジ部１３の外周に連続した被取付部１４とが一体に形成されて成り、被取付部１４がフレーム８の上面に取り付けられている。
【００２７】連結部１２はドーム部１１側に位置し上下方向に延びる内周部１２ａと、該内周部１２ａの下縁に連続し上下方向を向く平面部１２ｂとから成る。そして、振動板４はドーム部１１とエッジ部１３とを連結する連結部１２のうち平面部１２ｂが、プレス加工の際に両方向に引っ張られるために特に薄く形成されている。
また、平面部１２ｂの下面には円筒状のボビン１５の上端部が、例えばエポキシ樹脂系の接着剤１６によって固定されている。
【００２８】ボビン１５は該ボビン１５と振動板４とを含む振動系を軽くするために、非常に薄いシート状の材料により形成されている。従って、ボビン１５の厚みは、振動板４の平面部１２ｂの厚みより薄くされている。
【００２９】平面部１２ｂの下面の全面に断面形状で見て倒立三角形状を為すように接着剤１６が塗布され、該接着剤１６を介してボビン１５の上端部が平面部１２ｂに接着されている。
【００３０】ボビン１５の略下半分の外周面には導電性部材としてコイル１７が巻回されて固定され、該コイル１７が環状プレート７とセンタープレート９との間に形成された磁気ギャップ１０内に位置されている。」
「【００３２】しかして、上記したスピーカ装置１にあっては、特に薄く形成された平面部１２ｂに接着剤１６が塗布されているため、平面部１２ｂの実質的な厚みが増し、平面部１２ｂの機械的強度が強くなる。
【００３３】従って、特定の周波数において平面部１２ｂを節としてドーム部１１とエッジ部１３とに１８０゜位相のずれた振動が発生しないため、音圧のディップを生じることがなく、これにより良好な周波数特性が得られることから、出力される音響信号の質の向上を図ることができる。
【００３４】また、上記したように、平面部１２ｂの下面の全面に接着剤が塗布されているため、平面部１２ｂの機械的強度が非常に強く、出力される音響信号の質の一層の向上を図ることができる。
【００３５】尚、上記には円筒状のボビン１５の上端部を接着剤１６によって平面部１２ｂに接着する例を示したが、図３に示すように、上端部を直角に折り曲げて折曲部１８を有するボビン１５Ａを形成し、折曲部１８の一の面を接着剤１６によって平面部１２ｂに固定するようにしてもよい。このような折曲部１８は、ボビン１５Ａの材料が、例えば、アルミニウムやチタニウム等の金属材料であれば形成することが可能である。
【００３６】上記のように、折曲部１８を形成して平面部１２ｂにボビン１５Ａを接着することにより、ボビン１５Ａの接着面積が大きくなり、ボビン１５Ａの振動板４に対する接着強度の向上を図ることができる。」
　
３．対比、一致点および相違点
（１）対比
　本願発明と引用例に記載された発明（以下「引用発明」という。）とは、いずれもスピーカ装置を対象とするものであって、本願発明のスピーカ装置は、前記請求項９での特定から明らかなように、その振動板をコイルボビンによって駆動するもの、或は導電性１ターンリングによって駆動するもののいずれでもよいのであるから、以下コイルボビンにより駆動されるようにした場合について、本願発明をその各構成要素毎に引用発明と対比すると、
　ａ） 本願発明での振動板について、同振動板は、「ドーム状振動板とエッジ状振動板を連結する連結平坦部とが一体に形成された」ものであるところ、引用発明の振動板も、上記「ドーム状振動板」，「エッジ状振動板」，「連結平坦部」にそれぞれ相当する「ドーム部」，「エッジ部」，「ドーム部とエッジ部を連結する連結部」（具体的には、引用例の前記【００２７】段落の記載に示されるように、ドーム部側に位置し上下方向に延びる内周部１２ｂと、該内周部１２ｂの下縁に連続し上下方向を向く平面部１２ｂとから成る構成のもの、図２，図３参照）を有し、これらが「一体に形成された」ものであること、
　ｂ）本願発明での上記振動板を駆動するコイルボビンについて、これに対応するものとして、引用発明も「導電性部材が巻回されたボビン」を備えており、ここでいう「導電性部材」とは、引用例の前記【００３０】段落の記載に示されるように、例えば「コイル１７」であるから、引用発明での上記ボビンも「コイルボビン」といえるものであり、当該ボビンも、本願発明でのコイルボビンと同様、磁気空隙内に配設された（磁気ギャップ内に配置された）ものであること、
  ｃ）本願発明での「上記コイルボビンの一端に形成されたリング部材」について、引用発明でも「ボビンの一端部を直角に折り曲げて折曲部を形成」しており（前記請求項３の記載）、当該「折曲部」は、本願発明での上記「リング部材」に対応するものではあるが、これを特に「リング部材」とすることまでは引用例に記載がないこと、
  ｄ）しかしながら、その点を一応措くと、本願発明での上記「リング部材」と引用発明での上記「折曲部」とは、いずれも、コイルボビンの一端に形成した張り出し部材といい得るものであることが明らかで、この点では両者は共通していること、
  ｅ）本願発明での、上記連結平坦部への上記リング部材の接合について、該接合は、上記ｄ）の点を前提とすると、上記連結平坦部の平面部底面に上記張り出し部材の少なくとも上面を接合させるものであるが、この点では、引用発明も同様であることは、上記連結部１２の平面部１２ｂの下面（底面）に上記ボビンの折曲部１８（上記張り出し部材）の上面を接着させた図３の図示態様から明らかであること、
の各点が認められる。
　
（２）一致点および相違点
　以上の対比結果によれば、本願発明と引用発明との一致点および、相違点は次のとおりである。
［一致点］
　両者は、いずれも
「ドーム状振動板とエッジ状振動板を連結する連結平坦部とが一体に形成された振動板と、
　上記振動板を駆動する磁気空隙内に配設されたコイルボビンと、
　上記コイルボビンの一端に形成された張り出し部材とを具備し、
　上記振動板の上記連結平坦部の平面部底面に上記張り出し部材の少なくとも上面を接合させたことを特徴とするスピーカ装置」
である点。
　
［相違点］
　上記コイルボビンの一端に形成された張り出し部材が、本願発明では「リング部材」であるのに対し、引用発明では、特にリング部材とはしていない点。
　
４．判断
　そこで、以下、上記相違点について判断する。
　ア）まず、引用発明は、基本的には、前記請求項１に記載されるように、振動板のドーム部とエッジ部を連結する連結部の平面部にボビンの一端部を接着するものであるが、この接着は、引用例の前記【００２６】，【００２７】段落の記載や図１，図２等を参酌すると、具体的には、上記連結部が、略半球状のドーム部１１の外周に連続して一体に形成した連結部１２であって、ドーム部１１の外周から下方に延びる内周部１２ａと、該内周部１２ａの下縁に連なる平面部１２ｂとを有するものであることを前提に、該平面部１２ｂ、つまりリング状の平面部の下面に円筒状のボビン１５の上端部を接着して固定するものである。
　イ）そして、ボビン１５を上記のように連結部１２の平面部１２ｂに接着することの技術的意義について、引用例には、接着の際に上記平面部１２ｂの下面に接着剤を塗布する、特に下面の全面に塗布することで、平面部１２ｂの機械的強度を強化できる（これにより出力音響の音質を向上できる）こと（前記【００３２】〜【００３４】段落の記載参照）、 更には、上記円筒状のボビン１５の上端部を直角に折り曲げて折曲部１８を形成しておき、その上面を上記平面部１２ｂ下面に接着することで、接着面積が大きくなり、接着強度を向上させ得ること（前記【００３５】，【００３６】段落の記載参照）が記載されている。
  ウ）上記イ）の技術的意義に照らすと、引用発明では、平面部１２ｂの下面全面に接着剤を塗布し、該下面全面で折曲部１８が接着されるようにするのが最適であることは明らかであり、また、平面部１２ｂは、上記のとおりリング状の平面部であることからすると、当該平面部１２ｂの下面全面で折曲部１８が接着されるようにする上で、折曲部１８も同様のリング状に形成して本願発明でいう「リング部材」とすることは、当業者が一設計態様として容易に想到し得たというべき事項である。
  エ）以上のように、本願発明の上記引用発明との相違点は、当業者に想到容易な事項というべきものであり、したがって本願発明が上記相違点において特許を受けるべき格別の発明であるとすることはできない。
　
５．むすび
　以上のとおりであるから、本願の請求項９に係る発明は、引用例に記載された発明に基づいて当業者が容易に発明をすることができたものであるから、特許法第２９条第２項の規定により特許を受けることができない。
  したがって、本願の他の請求項に係る発明について検討するまでもなく、本願は拒絶すべきものである。
　よって、結論のとおり審決する。